(57)【要約】【課題】移動通信端末機のハンドオーバーイベントが発生したとき、ハンドオーバーのためのメッセージを無線ネットワーク制御装置に転送した後、予め設定された時間内に、無線ネットワーク制御装置から前記メッセージに対する応答がないと、前記メッセージを再転送することにより、通話切断現象を防止できる移動通信端末機のハンドオーバートリガ方法及びそのシステムを提供する。【解決手段】移動通信端末機の通信イベントトリガ方法は、移動通信端末機の複数の通信イベントのうち特定イベントが発生すると、前記特定イベントの発生に応答して特定メッセージを無線ネットワーク制御装置に転送する段階と、予め設定された時間内に、前記無線ネットワーク制御装置から前記メッセージに対する応答がないと、前記メッセージを前記無線ネットワーク制御装置に再転送する段階と、を含んで構成されることを特徴とする。【選択図】図２
2006345488.tif 000002
【特許請求の範囲】
【請求項１】
移動通信端末機の複数の通信イベントのうち特定イベントが発生すると、前記特定イベントの発生に応答して特定メッセージを無線ネットワーク制御装置に転送する段階と、
予め設定された時間内に、前記無線ネットワーク制御装置から前記メッセージに対する応答がないと、前記メッセージを前記無線ネットワーク制御装置に再転送する段階と、
を含んで構成されることを特徴とする移動通信端末機の通信イベントトリガ方法。
【請求項２】
前記特定イベントは、
ハンドオーバーイベントであることを特徴とする請求項１に記載の移動通信端末機の通信イベントトリガ方法。
【請求項３】
前記ハンドオーバーイベントは、
ソフトハンドオーバーイベントであることを特徴とする請求項２に記載の移動通信端末機の通信イベントトリガ方法。
【請求項４】
前記特定メッセージは、
ハンドオーバーメッセージであることを特徴とする請求項１に記載の移動通信端末機の通信イベントトリガ方法。
【請求項５】
前記特定イベント対象にある基地局が特定イベントのイベント状態を脱出していないときに、特定イベントが再発生すると、この特定イベントの再発生に応答して特定メッセージを前記無線ネットワーク制御装置に再転送する段階をさらに含んで構成されることを特徴とする請求項１に記載の移動通信端末機の通信イベントトリガ方法。
【請求項６】
移動通信端末機と基地局との間の信号強度に基づいてハンドオーバーイベントが発生すると、ハンドオーバーのためのメッセージを無線ネットワーク制御装置に転送する段階と、
予め設定された時間内に、前記無線ネットワーク制御装置から前記メッセージに対する応答がないと、前記メッセージを前記無線ネットワーク制御装置に再転送する段階と、
を含んで構成されることを特徴とする移動通信端末機のハンドオーバーイベントトリガ方法。
【請求項７】
前記ハンドオーバーは、
ソフトハンドオーバーであることを特徴とする請求項６に記載の移動通信端末機のハンドオーバーイベントトリガ方法。
【請求項８】
移動通信端末機が第１基地局のサービス地域から外れて第２基地局のサービス地域に移動するときにハンドオーバーイベントが発生すると、該ハンドオーバーのためのメッセージを前記第２基地局にリンクされた無線ネットワーク制御装置に転送する段階と、
予め設定された時間内に、前記無線ネットワーク制御装置から前記ハンドオーバーのためのメッセージに対する応答がないと、前記ハンドオーバーのためのメッセージを前記無線ネットワーク制御装置に再転送する段階と、
を含んで構成されることを特徴とする移動通信端末機のハンドオーバーイベントトリガ方法。
【請求項９】
前記ハンドオーバー対象にある基地局がハンドオーバーのイベント状態を脱出していないときに、ハンドオーバーイベントが再び発生すると、該ハンドオーバーのためのメッセージを前記無線ネットワーク制御装置に再転送する段階をさらに含んで構成されることを特徴とする請求項８に記載の移動通信端末機のハンドオーバーイベントトリガ方法。
【請求項１０】
前記ハンドオーバーは、
ソフトハンドオーバーであることを特徴とする請求項８に記載の移動通信端末機のハンドオーバーイベントトリガ方法。
【請求項１１】
前記第２基地局と前記移動通信端末機とが無線リンクされた後、前記第１基地局に対してハンドオーバーイベントが発生すると、前記第１基地局がハンドオーバーのイベント状態を脱出していなくても、前記移動通信端末機が、前記第１基地局とのハンドオーバーのための前記メッセージを前記無線ネットワーク制御装置に再転送する段階と、
前記無線ネットワーク制御装置が、前記再転送されたメッセージに応答して前記移動通信端末機のアクティブセットをアップデートすることにより、前記移動通信端末機を前記第１基地局に無線リンクさせる段階と、
をさらに含んで構成されることを特徴とする請求項８に記載の移動通信端末機のハンドオーバーイベントトリガ方法。
【請求項１２】
前記ハンドオーバーイベントは、
前記第１基地局の信号強度が前記第２基地局の信号強度よりも大きい場合に発生することを特徴とする請求項１１に記載の移動通信端末機のハンドオーバーイベントトリガ方法。
【請求項１３】
無線通信システム内で移動通信端末機と基地局との間の信号強度に基づいて通信−ハンドオーバーイベントが発生したとき、前記移動通信端末機が、前記通信−ハンドオーバーイベントを通知する測定報告を無線ネットワーク制御装置に転送する段階と、
前記移動通信端末機が、予め設定された時間内に、前記測定報告に応答するメッセージを前記無線ネットワーク制御装置から受信しないと、前記測定報告を前記無線ネットワーク制御装置に再転送する段階と、
前記測定報告が再転送された後、前記無線ネットワーク制御装置が、前記移動通信端末機にアクティブセットをアップデートする段階と、
前記移動通信端末機が、前記アクティブセットのアップデートが完了すると、アクティブセットアップデート完了メッセージを前記無線ネットワーク制御装置に転送する段階と、
を含んで構成されることを特徴とする移動通信端末機のハンドオーバーイベントトリガ方法。
【請求項１４】
前記通信−ハンドオーバー対象にある基地局が通信−ハンドオーバーのイベント状態を脱出していないときに、通信−ハンドオーバーイベントが再び発生すると、前記移動通信端末機が、該通信−ハンドオーバーイベントを通知する測定報告を前記無線ネットワーク制御装置に再転送する段階をさらに含んで構成されることを特徴とする請求項１３に記載の移動通信端末機のハンドオーバーイベントトリガ方法。
【請求項１５】
移動通信端末機が、複数の基地局との間の信号強度に基づいて、第１基地局に対してハンドオーバーイベントを発生した後、第２基地局に対してハンドオーバーイベントを発生した場合に、該ハンドオーバー対象にある第２基地局がハンドオーバーのイベント状態を脱出していなくても、前記第２基地局とのハンドオーバーのためのハンドオーバー測定報告を無線ネットワーク制御装置に転送する段階と、
前記無線ネットワーク制御装置が、前記ハンドオーバー測定報告に応答して、前記移動通信端末機のアクティブセットをアップデートすることにより、前記移動通信端末機を前記第２基地局に無線リンクさせる段階と、
を含んで構成されることを特徴とする移動通信端末機のハンドオーバーイベントトリガ方法。
【請求項１６】
前記ハンドオーバーイベントは、
前記第２基地局の信号強度が前記第１基地局の信号強度よりも大きい場合に発生することを特徴とする請求項１５に記載の移動通信端末機のハンドオーバーイベントトリガ方法。
【請求項１７】
第１基地局及び第２基地局に対してハンドオーバーイベントが発生し、前記第１基地局と移動通信端末機が無線リンクされた後、前記第２基地局の信号強度が最高になった場合であって、前記第２基地局がアクティブセットに含まれず且つハンドオーバーのイベント状態を脱出していない場合に、前記第２基地局とのハンドオーバーのための測定報告を転送する移動通信端末機と、
前記測定報告に応答して、前記移動通信端末機のアクティブセットをアップデートすることにより、前記移動通信端末機を前記第２基地局に無線リンクさせる無線ネットワーク制御装置と、
を含んで構成されることを特徴とするハンドオーバートリガシステム。
【請求項１８】
前記ハンドオーバーイベントは、
前記第２基地局の信号強度が前記第１基地局の信号強度よりも大きい場合に発生することを特徴とする請求項１７に記載のハンドオーバートリガシステム。
【請求項１９】
複数の基地局から受信した信号強度を測定する物理層と、
移動通信端末機と無線ネットワーク制御装置との間におけるハンドオーバー実行のためのメッセージを送受信する無線リンク制御層と、
前記物理層で測定された信号強度に基づいてハンドオーバーイベントが発生すると、前記無線リンク制御層を通じて前記無線ネットワーク制御装置にハンドオーバー測定報告を転送し、及び、ハンドオーバー対象にある基地局がハンドオーバーのイベント状態を脱出していないときに、ハンドオーバーイベントが再び発生すると、ハンドオーバー測定報告を前記無線ネットワーク制御装置に再転送する無線資源制御層と、
を含んで構成されることを特徴とする移動通信端末機。
【請求項２０】
前記ハンドオーバーイベントは、
前記複数の基地局のうち特定基地局の信号強度が、前記移動通信端末機に無線リンクされた基地局の信号強度よりも大きい場合に発生することを特徴とする請求項１９に記載の移動通信端末機。
【発明の詳細な説明】
【技術分野】
【０００１】
本発明は、移動通信端末機に関し、特に、移動通信端末機のハンドオーバートリガ（handover triggering）方法及びそのシステムに関する。
【背景技術】
【０００２】
従来技術に係る次世代移動通信システム（universal mobile telecommunications systems: ＵＭＴＳ）及び広帯域符号分割多重接続（wideband code division multiple access: ＷＣＤＭＡ）技術を利用する移動通信端末機は、信号強度が弱くなると、ハンドオーバー（handover）を行う。ここで、ハンドオーバーとは、例えば、通話中の移動通信端末機が、該当基地局のサービス地域（cell boundary）から外れて隣接基地局（neighbor base station）のサービス地域に移動すると、その移動通信端末機が、隣接基地局の新しい通話チャネル（traffic channel）に自動的に同調（tuning）して、連続した通話状態を維持する機能である。すなわち、特定基地局と通信している移動通信端末機は、その特定基地局の信号強度が弱くなると、隣接基地局と無線リンクを確立する。
【０００３】
図５は、従来技術に係る移動通信端末機のハンドオーバートリガ方法を示す図である。
【０００４】
図５に示したように、移動通信端末機は、現在接続している基地局がカバーするセル内において、信号強度が弱くなったことを検出すると、ハンドオーバーイベント１Ｂ（EVENT 1B）を発生する。このハンドオーバーイベント１Ｂの発生により、移動通信端末機は、ハンドオーバー測定報告（Handover Measurement Report）等のハンドオーバーのためのメッセージを無線ネットワーク制御装置（radio network controller: ＲＮＣ）に転送する。ハンドオーバーイベント１Ｂは、例えば、通話中の移動通信端末機が、第１基地局のサービス地域から外れて第２基地局のサービス地域に移動するときに発生する。この場合に移動通信端末機は、第２基地局にリンクされた無線ネットワーク制御装置にハンドオーバー測定報告を転送する。
【０００５】
無線ネットワーク制御装置は、ハンドオーバー測定報告に応答して、移動通信端末機のアクティブセット（Active Set）をアップデート（Update）する。ここで、ハンドオーバーとは、ソフトハンドオーバー（soft handover）である。アクティブセットとは、移動通信端末機と基地局との間のサービスのために、移動通信端末機に無線リンクさせるセルの集合（Set）である。
【０００６】
アクティブセットのアップデートが完了すると、移動通信端末機は、アクティブセットアップデート完了（Active set update complete）メッセージを、無線ネットワーク制御装置に転送する。これにより、移動通信端末機のハンドオーバートリガが終了する。
【０００７】
しかしながら、従来技術に係る移動通信端末機のハンドオーバートリガ方法は、ハンドオーバー測定報告を無線ネットワーク制御装置に１度しか転送しないため、通話切断現象が発生するという問題があった。つまり、ハンドオーバー測定報告が、無線ネットワーク制御装置で一時的に処理されない場合や、喪失した場合等に、セルの信号強度が非常に弱くなると、ハンドオーバーを実行することができないため、通話が切断する現象が発生するという問題があった。
【０００８】
従来技術に係るハンドオーバーは、以下の特許文献１〜特許文献３に記載されている。
【０００９】
【特許文献１】米国特許第６，６１５，０４４号
【特許文献２】米国特許第６，８４５，２３８号
【特許文献３】米国特許第６，８７９，８３１号
【発明の開示】
【発明が解決しようとする課題】
【００１０】
従って、本発明の目的は、移動通信端末機が、ハンドオーバーイベントを発生した場合に、ハンドオーバーのためのメッセージを無線ネットワーク制御装置に転送した後、予め設定された時間内に、無線ネットワーク制御装置からハンドオーバーメッセージに対する応答がないと、ハンドオーバーメッセージを再転送することで、通話切断現象を防止することができる移動通信端末機のハンドオーバートリガ方法及びそのシステムを提供することにある。
【００１１】
本発明の他の目的は、無線ネットワーク制御装置が第１基地局と移動通信端末機とを無線リンクさせた後、移動通信端末機において、第２基地局の信号強度が最高になったことを検出したが、第２基地局がトリガ状態を脱出していないとき、すなわち、第２基地局がハンドオーバーのイベント状態を脱出していないとき（Leaving Triggering Condition）であっても、移動通信端末機が、第２基地局とのハンドオーバーのための測定報告を無線ネットワーク制御装置に転送し、第２基地局を除く他の周辺基地局の信号強度が低下すると、前記第２基地局との無線リンクを確立するので、通話が切断される現象を防止することができる移動通信端末機のハンドオーバートリガ方法及びそのシステムを提供することにある。
【課題を解決するための手段】
【００１２】
このような目的を達成するための本発明に係る移動通信端末機の通信イベント（telecommunications events）トリガ方法は、移動通信端末機の複数の通信イベントのうち特定イベントが発生すると、前記特定イベントの発生に応答して特定メッセージを無線ネットワーク制御装置に転送する段階と、予め設定された時間内に、前記無線ネットワーク制御装置から前記メッセージに対する応答がないと、前記メッセージを前記無線ネットワーク制御装置に再転送する段階と、を含んで構成されることを特徴とする。
【００１３】
このような目的を達成するための本発明に係る移動通信端末機のハンドオーバーイベントトリガ方法は、移動通信端末機と基地局との間の信号強度に基づいてハンドオーバーイベントが発生すると、ハンドオーバーのためのメッセージを無線ネットワーク制御装置に転送する段階と、予め設定された時間内に前記無線ネットワーク制御装置から前記メッセージに対する応答がないと、前記メッセージを前記無線ネットワーク制御装置に再転送する段階と、を含んで構成されることを特徴とする。
【００１４】
また、本発明に係る移動通信端末機のハンドオーバーイベントトリガ方法は、移動通信端末機が第１基地局のサービス地域から外れて第２基地局のサービス地域に移動するときにハンドオーバーイベントが発生すると、ハンドオーバーのためのメッセージを前記第２基地局にリンクされた無線ネットワーク制御装置に転送する段階と、予め設定された時間内に、前記無線ネットワーク制御装置から前記ハンドオーバーのためのメッセージに対する応答がないと、前記ハンドオーバーのためのメッセージを前記無線ネットワーク制御装置に再転送する段階と、を含んで構成されることを特徴とする。
【００１５】
また、本発明に係る移動通信端末機のハンドオーバーイベントトリガ方法は、無線通信システム内で移動通信端末機と基地局との間の信号強度に基づいて通信−ハンドオーバーイベント（communication-handover event）が発生したとき、前記移動通信端末機が、前記通信−ハンドオーバーイベントを通知する測定報告を無線ネットワーク制御装置に転送する段階と、前記移動通信端末機が、予め設定された時間内に、前記測定報告に応答するメッセージを前記無線ネットワーク制御装置から受信しないと、前記測定報告を前記無線ネットワーク制御装置に再転送する段階と、前記測定報告を再転送した後、前記無線ネットワーク制御装置が、前記移動通信端末機にアクティブセットをアップデートする段階と、前記移動通信端末機が、前記アクティブセットのアップデートが完了すると、アクティブセットアップデート完了メッセージを前記無線ネットワーク制御装置に転送する段階と、を含んで構成されることを特徴とする。
【００１６】
また、本発明に係る移動通信端末機のハンドオーバーイベントトリガ方法は、移動通信端末機が、複数の基地局との間の信号強度に基づいて、第１基地局に対してハンドオーバーイベントを発生した後、第２基地局に対してハンドオーバーイベントを発生した場合に、前記第２基地局がハンドオーバーのイベント状態を脱出していなくても、前記第２基地局とのハンドオーバーのためのハンドオーバー測定報告を無線ネットワーク制御装置に転送する段階と、前記無線ネットワーク制御装置が、前記ハンドオーバー測定報告に応答して、前記移動通信端末機のアクティブセットをアップデートすることにより、前記移動通信端末機を前記第２基地局に無線リンクさせる段階とを含んで構成されることを特徴とする。
【００１７】
このような目的を達成するための本発明に係るハンドオーバートリガシステムは、第１基地局及び第２基地局に対してハンドオーバーイベントが発生し、前記第１基地局と移動通信端末機が無線リンクされた後、前記第２基地局の信号強度が最高になった場合であって、前記第２基地局がアクティブセットに含まれず且つハンドオーバーのイベント状態を脱出していない場合に、前記第２基地局とのハンドオーバーのための測定報告を転送する移動通信端末機と、前記測定報告に応答して、前記移動通信端末機のアクティブセットをアップデートすることにより、前記移動通信端末機を前記第２基地局に無線リンクさせる無線ネットワーク制御装置と、を含んで構成されることを特徴とする。
【００１８】
このような目的を達成するための本発明に係る移動通信端末機は、複数の基地局から受信した信号強度を測定する物理層（physical layer）と、移動通信端末機と無線ネットワーク制御装置との間のハンドオーバー実行のためのメッセージを送受信する無線リンク制御（radio link control: ＲＬＣ）層と、前記物理層で測定された信号強度に基づいてハンドオーバーイベントが発生すると、前記無線リンク制御層を通じて前記無線ネットワーク制御装置にハンドオーバー測定報告を転送し、及び、ハンドオーバー対象にある基地局がハンドオーバーのイベント状態を脱出していないときに、前記ハンドオーバーイベントが再び発生すると、前記ハンドオーバー測定報告を前記無線ネットワーク制御装置に再転送する無線資源制御（radio resource control: ＲＲＣ）層と、を含んで構成されることを特徴とする。
【発明の効果】
【００１９】
本発明に係る移動通信端末機のハンドオーバートリガ方法及びそのシステムは、移動通信端末機が、ハンドオーバーイベントを発生した場合に、ハンドオーバーのためのメッセージを無線ネットワーク制御装置に転送した後、予め設定された時間内に、無線ネットワーク制御装置からメッセージに対する応答がないと、メッセージを再転送するようにしたので、通話切断現象を防止し得るという効果がある。
【００２０】
また、本発明に係る移動通信端末機のハンドオーバートリガ方法及びそのシステムは、第１基地局と移動通信端末機とを無線リンクさせる場合に、移動通信端末機が第２基地局の信号強度が最高になったことを検出したが、無線ネットワーク制御装置がハンドオーバーイベントの周期的な報告を許容せず且つ第２基地局がハンドオーバーのイベント状態を脱出していない場合であっても、第２基地局とのハンドオーバーのための測定報告を無線ネットワーク制御装置に転送し、第２基地局を除く他の周辺基地局の信号強度が低下したときに、第２基地局との無線リンクを確立するので、通話が切断される現象を防止できるという効果がある。
【発明を実施するための最良の形態】
【００２１】
以下、信号強度に基づいて、移動通信端末機が、ハンドオーバーイベント（通信−ハンドオーバーイベント）を発生した場合に、ハンドオーバーのためのメッセージを無線ネットワーク制御装置に転送した後、予め設定された時間内に、無線ネットワーク制御装置からメッセージに対する応答がないと、メッセージを再転送することにより、通話切断現象を防止することができる移動通信端末機のハンドオーバートリガ方法の実施形態を図１及び図２を参照して詳細に説明する。ここで、移動通信端末機は、ＵＭＴＳ又はＷＣＤＭＡシステムに適用できる。
【００２２】
図１は、本発明の実施形態に係る移動通信端末機のハンドオーバートリガ方法を説明するためのシステム概略図である。すなわち、図１は、通信ネットワーク内でハンドオーバーイベントをトリガするシステムを示す図である。
【００２３】
図２は、本発明の実施形態に係る移動通信端末機のハンドオーバートリガ方法の第１実施形態を示す図である。
【００２４】
図２に示すように、本発明の実施形態に係る移動通信端末機のハンドオーバートリガ方法の第１実施形態は、移動通信端末機１１が、基地局との間の信号強度に基づいてハンドオーバーイベント１Ｂ（EVENT 1B）を発生すると、ハンドオーバーのためのメッセージを無線ネットワーク制御装置（ＲＮＣ）１４に転送する。この場合、予め設定された時間内（待機時間）に、無線ネットワーク制御装置１４からハンドオーバーのためのメッセージに対する応答を受信しないと、ハンドオーバーのためのメッセージを無線ネットワーク制御装置に再転送する。ここで、ハンドオーバーは、ソフトハンドオーバーである。
【００２５】
以下、本発明に係る移動通信端末機のハンドオーバートリガ方法の第１実施形態を図１及び図２を参照して詳細に説明する。
【００２６】
まず、移動通信端末機（ＭＴ）１１は、現在接続している基地局との間の信号強度が弱くなったことを検出すると、ハンドオーバーイベント１Ｂ（EVENT 1B）を発生し、ハンドオーバーのためのハンドオーバー測定報告（Mesurement report）を無線ネットワーク制御装置１４に転送する。例えば、通話中の移動通信端末機１１が、第１基地局１２のサービス地域から外れて第２基地局１３のサービス地域に移動するときに、ハンドオーバーイベント１Ｂが発生する。この場合に、第２基地局１３にリンクされた無線ネットワーク制御装置１４にハンドオーバー測定報告を転送する。ここで、ハンドオーバーとは、通話中の移動通信端末機が該当基地局のサービス地域から外れて隣接基地局のサービス地域に移動するとき、該当基地局と移動通信端末機との間の信号強度が弱くなるので、この際に通話を維持するために、移動通信端末機が隣接基地局の新しい通話チャネルに自動的に同調して、連続した通話状態を維持する機能である。すなわち、移動通信端末機は、通信リンクを維持するために隣接基地局に無線リンクされる。
【００２７】
その後、移動通信端末機１１は、ハンドオーバーのためのハンドオーバー測定報告に対する応答を無線ネットワーク制御装置１４から受信したか否かを判断する。
【００２８】
移動通信端末機１１は、予め設定された時間（例えば、１秒〜２秒）内に、ハンドオーバー測定報告に対する応答を無線ネットワーク制御装置１４から受信していないと判断した場合、ハンドオーバー測定報告を無線ネットワーク制御装置１４に再転送する。
【００２９】
一方、移動通信端末機１１は、予め設定された時間内（待機時間）に、ハンドオーバー測定報告に対する応答を、無線ネットワーク制御装置１４から受信したと判断した場合には、ハンドオーバーを行う。これは、無線ネットワーク制御装置１４が、ハンドオーバー測定報告に応答して、移動通信端末機１１のアクティブセット（Active set）をアップデート（Update）することにより行われる。ここで、アクティブセットアップデートとは、移動通信端末機１１が、第１基地局セル内でデータを送受信している最中に、ハンドオーバーにより第２基地局セル内に進入した場合、無線ネットワーク制御装置が、第２基地局を通じて継続してデータを送受信できるように移動通信端末機を制御する動作である。すなわち、移動通信端末機１１は、第１基地局１２との無線リンクを解除し、第２基地局１３と無線リンクを確立する。
【００３０】
移動通信端末機１１は、アクティブセットアップデートが完了すると、アクティブセットアップデート完了（Active set update complete）メッセージを無線ネットワーク制御装置１４に転送することにより、ハンドオーバートリガを終了する。
【００３１】
この実施形態では、無線ネットワーク制御装置１４が、ハンドオーバー測定報告を受信できない場合、例えば、ネットワークエラーによりハンドオーバー測定報告が喪失した場合に、ハンドオーバー測定報告に対する応答を移動通信端末機１１に転送することができないことを想定している。このような場合、本発明の実施形態に係る移動通信端末機１１は、再転送が定義されていないハンドオーバーイベント１Ｂ（EVENT 1B）に対する応答を所定時間内に受信しないと、ハンドオーバーのためのメッセージ（ハンドオーバー測定報告）を無線ネットワーク制御装置１４に再転送することにより、通話切断現象を防止する。
【００３２】
次に他の実施形態を説明する。移動通信端末機１１は、基地局との間の信号強度が弱くなったことを検出すると、ハンドオーバーイベント１Ｃ（EVENT 1C）を発生して、ハンドオーバー測定報告を無線ネットワーク制御装置に転送する。本実施形態では、そのハンドオーバーのための１つのハンドオーバー測定報告に、複数の基地局情報（例えば、第１基地局（Cell A）と第２基地局（Cell B）の信号強度情報）を含めて無線ネットワーク制御装置１４に転送するように構成されている。これを受信した無線ネットワーク制御装置１４は、最高の信号強度を有する基地局（例えば、Cell A）と、移動通信端末機１１とを無線リンクさせる。
【００３３】
しかしながら、従来技術では、無線ネットワーク制御装置１４が、最高の信号強度を有する第１基地局（Cell A）に対してのみハンドオーバーを許容すると、残りのセル（例えば、第２基地局（Cell B））がハンドオーバーのイベント状態を脱出しておらず且つ無線ネットワーク制御装置１４がハンドオーバーイベント（EVENT 1C）の周期的な報告を許容しない場合がある。また、このような場合に、その後、第２基地局（Cell B）の信号強度が最高になっても、移動通信端末機１１は、第２基地局とのハンドオーバーのためのハンドオーバー測定報告を転送しない。従って、移動通信端末機１１は、第２基地局（Cell B）にハンドオーバーすることができなくなる。つまり、第２基地局（Cell B）を除く他の周辺基地局の信号強度が弱くなっても、ハンドオーバーを発生できないため、通話が切断する現象が発生する。
【００３４】
そこで、本実施形態では、移動通信端末機１１が、基地局との間の信号強度が弱くなったことを検出して、ハンドオーバーイベントを発生した場合に、無線ネットワーク制御装置１４に転送するハンドオーバーのための１つのハンドオーバー測定報告に、複数の基地局情報（例えば、第１基地局（Cell A）と第２基地局（Cell B）の信号強度情報）を含めて転送するようにする。このようにすれば、無線ネットワーク制御装置１４が最高の信号強度を有する第１基地局（Cell A）と移動通信端末機とを無線リンクさせた後、第２基地局（Cell B）がアクティブセットに含まれずにハンドオーバーのイベント状態を脱出しておらず、及び、無線ネットワーク制御装置がハンドオーバーイベント１Ｃ（EVENT 1C）の周期的な報告を許容しなかったとしても、第２基地局（Cell B）の信号強度が最高になれば、その移動通信端末機１１は、第２基地局（Cell B）とのハンドオーバーのための測定報告を無線ネットワーク制御装置１４に再転送する。これにより、その後、移動通信端末機１１は、第２基地局（Cell B）を除く他の周辺基地局の信号強度が弱くなったときに、第２基地局（Cell B）に無線リンクすることができるようになる。従って、通話が切断される現象を防止することができる。この方法を図３を参照して説明する。
【００３５】
図３は、本発明の実施形態に係る移動通信端末機のハンドオーバートリガ方法の第２実施形態を示す図である。
【００３６】
図３に示すように、本発明の実施形態に係る移動通信端末機のハンドオーバートリガ方法の第２実施形態では、移動通信端末機１１が、複数の基地局との間の信号強度に基づいて、例えば、第１基地局と第２基地局に対してハンドオーバーイベント（EVENT 1C: Cell A, Cell B）を発生して、ハンドオーバーのための測定報告（Measurement report）を転送する。その後、無線ネットワーク制御装置１４からのアクティブセット（Active set update（Call A））に、第１基地局だけが含まれており、第２基地局がイベント脱出条件を満たしていない場合に、第２基地局の信号強度が強くなると、移動通信端末機１１は、第２基地局とのハンドオーバーのための測定報告（Measurement report（EVENT 1C: Cell B））を無線ネットワーク制御装置１４に転送する。すると、無線ネットワーク制御装置１４は、そのハンドオーバー測定報告に応答して、移動通信端末機１１のアクティブセットをアップデート（Active set update（Call B））し、移動通信端末機１１を第２基地局に無線リンクさせる。その後、移動通信端末機１１は、アクティブセットアップデート完了メッセージ（Active set update complete）を無線ネットワーク制御装置１４に転送する。このような過程を実行させることで、通話が切断される現象を防止することができるようになる。
【００３７】
以下、本発明の実施形態に係る移動通信端末機のハンドオーバートリガ方法の第２実施形態を図４を参照して詳細に説明する。
【００３８】
図４は、図３の方法を実現するハンドオーバートリガシステムのブロック図である。
【００３９】
図４に示したように、本発明の第２実施形態に係るハンドオーバートリガシステムは、移動通信端末機１１が、複数の基地局３０から信号を受信して、該受信信号の信号強度を測定し、その信号強度に基づいて第１基地局と第２基地局に対してハンドオーバーイベントを発生して、ハンドオーバー測定報告を転送した後、無線ネットワーク制御装置１４からのアクティブセットに、第１基地局だけが含まれており、無線ネットワーク制御装置１４がハンドオーバーイベント（EVENT 1C）の周期的な報告を許容せず、及び、第２基地局がハンドオーバーのイベント状態を脱出していない場合を想定している。このような場合、移動通信端末機１１が、第２基地局とのハンドオーバーのためのハンドオーバー測定報告を転送すると、無線ネットワーク制御装置１４が、ハンドオーバー測定報告に応答して、移動通信端末機１１のアクティブセットをアップデートする。
【００４０】
本実施形態における移動通信端末機１１は、複数の基地局３０から受信した信号の信号強度を測定する物理層１１Ｃと、移動通信端末機１１と無線ネットワーク制御装置１４との間でハンドオーバー実行のためのメッセージを送受信する無線リンク制御層１１Ｂと、物理層１１Ｃで測定された信号強度に基づいてハンドオーバーイベントが発生すると、無線リンク制御層（ＲＬＣ層）１１Ｂを通じて無線ネットワーク制御装置１４に測定報告を転送し、及び、ハンドオーバー対象にある基地局がハンドオーバーのイベント状態を脱出していないときに、信号強度に基づいてハンドオーバーイベントが再び発生すると、ハンドオーバーイベントを通知する測定報告を無線ネットワーク制御装置１４に再転送する無線資源制御階層（ＲＲＣ層）１１Ａと、を含んで構成される。
【００４１】
一方、本実施形態における無線ネットワーク制御装置１４は、移動通信端末機１１の無線リンク制御層１１Ｂから受信した測定報告を分析し、該分析結果がハンドオーバー実行条件を満たしている場合、ハンドオーバー承認メッセージであるアクティブセットをアップデートするアクティブセットアップデート（active set update）メッセージを、移動通信端末機１１の無線リンク制御層１１Ｂに転送する。
【００４２】
移動通信端末機１１は、無線リンク制御層１１Ｂを通じてアクティブセットアップデートメッセージを受信すると、無線資源制御層１１Ａが、アクティブセットアップデートメッセージによってハンドオーバーを実行する。移動通信端末機１１は、ハンドオーバーを完了し、ハンドオーバー完了メッセージであるアクティブセットアップデート完了メッセージを無線ネットワーク制御装置１４に転送する。このような過程を経て、移動通信端末機１１のハンドオーバートリガが終了する。
【００４３】
以上、説明したように、本発明は、ハンドオーバーイベントだけでなく再転送が定義されていない複数の通信イベントに特定パラメータ（specified parameter）（例えば、Reporting Interval、Reporting Amount）を定義することにより、通信イベントのためのメッセージを再転送することもできる。
【図面の簡単な説明】
【００４４】
【図１】本発明の実施形態に係る移動通信端末機のハンドオーバートリガ方法を説明するためのシステムの概略図である。
【図２】本発明の実施形態に係る移動通信端末機のハンドオーバートリガ方法の第１実施形態を示す図である。
【図３】本発明の実施形態に係る移動通信端末機のハンドオーバートリガ方法の第２実施形態を示す図である。
【図４】図３の方法を実現するハンドオーバートリガシステムを示すブロック図である。
【図５】従来技術に係る移動通信端末機のハンドオーバートリガ方法を示す図である。
【符号の説明】
【００４５】
１１：移動通信端末機
１２、１３：基地局
１４：無線ネットワーク制御装置
【図１】
2006345488.tif 000003
【図２】
2006345488.tif 000004
【図３】
2006345488.tif 000005
【図４】
2006345488.tif 000006
【図５】
2006345488.tif 000007